(57)【要約】      （修正有）【課題】相互に形状が異なる複数のプラグをも差し込むことが可能なプラグホルダーを提供する。【解決手段】立方体形状のプラグホルダー１００Ａの底面には当該プラグホルダー１００Ａを壁に取り付けるための両面テープ１１０が取り付けられており、上面１０１には５種類の形状のプラグの何れをも差し込むことが可能な複数プラグ用プラグ差し込み口１２１、１２２、１２３が形成されている。【選択図】図３
0003180159.tif 000002
【実用新案登録請求の範囲】
【請求項１】
相互に形状が異なる少なくとも２個のプラグの何れをも差し込むことが可能な形状の複数プラグ用プラグ差し込み口であって、
第一開口部と、
予め定められた中心線に関して前記第一開口部と左右対称に設けられた第二開口部と、
からなり、
前記第一開口部は、前記中心線と平行に延びる直線状の第三開口部と、前記第三開口部の中心から前記中心線から離れる方向に前記第三開口部と直交して延びる第四開口部と、からなるものである複数プラグ用プラグ差し込み口。
【請求項２】
上方に凸の半円形状の第五開口部をさらに備え、
前記第五開口部は前記中心線を中心線として上下方向に延びており、
前記第五開口部は前記第一開口部及び前記第二開口部の下方に位置するものであることを特徴とする請求項１に記載の複数プラグ用プラグ差し込み口。
【請求項３】
少なくとも二つの平面を有する立体形状のプラグホルダーであって、
前記少なくとも二つの平面のうちの第一の平面において、前記プラグホルダーを対象物に取り付ける取り付け手段を備えており、
前記第一の平面以外の平面のうち少なくとも一つの平面には請求項１または２に記載の複数プラグ用プラグ差し込み口が形成されているプラグホルダー。
【請求項４】
平板形状のベース板と、
前記ベース板をその裏面において対象物に取り付ける取り付け手段と、
前記ベース板の表面に形成された立方体形状のプラグ取り付けブロックと、
を備えるプラグホルダーであって、
前記ベース板には、前記対象物に形成された既設のコンセントを嵌め込むことが可能な開口部が形成されており、
前記プラグ取り付けブロックの平面のうち少なくとも一つの平面には請求項１または２に記載の複数プラグ用プラグ差し込み口が形成されているプラグホルダー。
【請求項５】
開口部を有する平板形状のベース板と、
前記開口部を介して前記ベース板の表面に露出するプラグ差し込み口を有するコンセントユニットと、
前記ベース板の表面に形成された立方体形状のプラグ取り付けブロックと、
を備えるプラグホルダーであって、
前記プラグ取り付けブロックの平面のうち少なくとも一つの平面には請求項１または２に記載の複数プラグ用プラグ差し込み口が形成されているプラグホルダー。
【請求項６】
前記複数プラグ用プラグ差し込み口が形成されている平面以外の平面のうち、少なくとも一つの平面には、差し込むプラグの形状に応じた形状を有する単一プラグ用プラグ差し込み口が形成されていることを特徴とする請求項３、４または５に記載のプラグホルダー。
【請求項７】
前記プラグ取り付けブロックは前記ベース板に対して着脱自在であることを特徴とする請求項５または６に記載のプラグホルダー。
【考案の詳細な説明】
【技術分野】
【０００１】
本考案は、プラグ形状が相互に異なる複数のプラグの何れをも差し込むことが可能なプラグホルダーに関する。
【背景技術】
【０００２】
コンセントの差し込み口に差し込まれていないプラグを差し込んで保持しておくことができるプラグホルダーの一例として実開平５−２３９３号公報に記載されたものがある。
【０００３】
図６は同公報に記載されたプラグホルダー６の斜視図である。
【０００４】
通常、電気コンセントは、図６に示すように、平板状のカバー板１と、コンセント本体２と、から構成される。
【０００５】
電気コンセントが取り付けられる壁（図示せず）には窪みが形成されており、コンセント本体２はこの窪みの内部に収容される。カバー板１はこの窪みを覆い隠す大きさを有している。
【０００６】
コンセント本体２には、プラグの給電差し込み口３が設けられており、給電差し込み口３は、カバー板１に形成された窓孔４から外部に露出している。
【０００７】
給電差し込み口３の奥に配置された二つの電気接片（図示せず）にはそれぞれ電源線７が接続されており、給電差し込み口３にプラグが差し込まれると、各プラグと各電源線７とが電気的に接続する。
【０００８】
給電差し込み口３の下方には、立方体形状のプラグホルダー６が形成されている。プラグホルダー６の表面には、プラグを差し込むことができるダミー差し込み口５が形成されている。ダミー差し込み口５は電源線７には接続されておらず、プラグをダミー差し込み口５に差し込んでも、プラグが電源線７と接続されることはない。
【０００９】
プラグホルダー６の表面には「ダミー」の文字が表示されており、ダミー差し込み口５を給電差し込み口３と誤認することを防止している。
【００１０】
プラグホルダー６によれば、プラグを給電差し込み口３から引き抜いた後、そのプラグを給電差し込み口３に近接して配置されているダミー差し込み口５に差し込むことにより、プラグを床上に放置させないようにすることができる。
【考案の開示】
【考案が解決しようとする課題】
【００１１】
図６に示した従来のプラグホルダー６によれば、給電差し込み口３から引き抜いて使用しなくなったプラグをダミー差し込み口５に差し込むことにより、そのプラグをプラグホルダー６に保持しておくことが可能であるが、従来のプラグホルダー６が保持することができるプラグは１種類のプラグだけであった。
【００１２】
しかしながら、使用する電圧（ボルト）及び電流（アンペア）によっては、プラグの形状は異なっている。
【００１３】
例えば、通常、使用電圧としては１００ボルトと２００ボルトの２種類があり、使用電流としては１５アンペアと２０アンペアの２種類がある。このため、電圧及び電流に応じて、少なくとも４種類の異なる形状のプラグが存在する。
【００１４】
このように、形状が異なる複数のプラグを使用する場合、従来のプラグホルダー６は１種類のプラグだけしか保持することができないという問題点があった。
【００１５】
ちなみに、従来のプラグホルダー６におけるダミー差し込み口５に差し込むことができるプラグは単相１００ボルト、１５アンペア用のプラグのみである。
【００１６】
本考案はこのような従来のプラグホルダーにおける問題点に鑑みてなされたものであり、形状が異なる複数のプラグを使用する場合であっても、それらのプラグを保持することができるプラグホルダーを提供することを目的とする。
【課題を解決するための手段】
【００１７】
上記の目的を達成するため、本考案は、相互に形状が異なる少なくとも２個のプラグの何れをも差し込むことが可能な形状の複数プラグ用プラグ差し込み口であって、第一開口部と、予め定められた中心線に関して前記第一開口部と左右対称に設けられた第二開口部と、からなり、前記第一開口部は、前記中心線と平行に延びる直線状の第三開口部と、前記第三開口部の中心から前記中心線から離れる方向に前記第三開口部と直交して延びる第四開口部と、からなるものである複数プラグ用プラグ差し込み口を提供する。
【００１８】
本考案にかかる複数プラグ用プラグ差し込み口は、上方に凸の半円形状の第五開口部をさらに備えていることが好ましい。この場合、前記第五開口部は前記中心線を中心線として上下方向に延びており、前記第五開口部は前記第一開口部及び前記第二開口部の下方に位置している。
【００１９】
本考案は、さらに、少なくとも二つの平面を有する立体形状のプラグホルダーであって、前記少なくとも二つの平面のうちの第一の平面において、前記プラグホルダーを対象物に取り付ける取り付け手段を備えており、前記第一の平面以外の平面のうち少なくとも一つの平面には上記の複数プラグ用プラグ差し込み口が形成されているプラグホルダーを提供する。
【００２０】
本考案は、さらに、平板形状のベース板と、前記ベース板をその裏面において対象物に取り付ける取り付け手段と、前記ベース板の表面に形成された立方体形状のプラグ取り付けブロックと、を備えるプラグホルダーであって、前記ベース板には、前記対象物に形成された既設のコンセントを嵌め込むことが可能な開口部が形成されており、前記プラグ取り付けブロックの平面のうち少なくとも一つの平面には上記の複数プラグ用プラグ差し込み口が形成されているプラグホルダーを提供する。
【００２１】
本考案は、さらに、開口部を有する平板形状のベース板と、前記開口部を介して前記ベース板の表面に露出するプラグ差し込み口を有するコンセントユニットと、前記ベース板の表面に形成された立方体形状のプラグ取り付けブロックと、を備えるプラグホルダーであって、前記プラグ取り付けブロックの平面のうち少なくとも一つの平面には上記の複数プラグ用プラグ差し込み口が形成されているプラグホルダーを提供する。
【００２２】
本考案に係るプラグホルダーにおいては、前記複数プラグ用プラグ差し込み口が形成されている平面以外の平面のうち、少なくとも一つの平面には、差し込むプラグの形状に応じた形状を有する単一プラグ用プラグ差し込み口が形成されていることが好ましい。
【００２３】
本考案に係るプラグホルダーにおいては、前記プラグ取り付けブロックは前記ベース板に対して着脱自在であることが好ましい。
【考案の効果】
【００２４】
本考案に係る複数プラグ用プラグ差し込み口は、相互に形状が異なる少なくとも２個のプラグの何れをも差し込むことが可能な形状の差し込み口を有するため、どのような形状を有するプラグであっても、本考案に係る複数プラグ用プラグ差し込み口に差し込んで保持することが可能である。従来のプラグ差し込み口は一種類のプラグしか差し込むことができなかったため、例えば、５種類のプラグを使用する場合、それらのプラグに対応した５種類のプラグ差し込み口を準備する必要があったが、本考案に係る複数プラグ用プラグ差し込み口によれば、単一の複数プラグ用プラグ差し込み口により、５種類のプラグの何れのプラグであっても、差し込むことが可能である。
【００２５】
さらに、本考案に係るプラグホルダーによれば、１種類のプラグしか差し込むことができなかった従来のプラグホルダーと比較して、相互に形状が異なる複数種類のプラグを差し込んでおくことが可能である。例えば、現在流通しているプラグとしては、単相１００ボルト・１５アンペア用のプラグ、単相１００ボルト・２０アンペア用のプラグ（２種類）、単相２００ボルト・１５アンペア用のプラグ、単相２００ボルト・２０アンペア用のプラグの５種類がある。本考案に係るプラグホルダーによれば、これら５種類のうちの少なくとも二つ以上のプラグを保持しておくことが可能である。
【図面の簡単な説明】
【００２６】
【図１】使用電圧（ボルト）及び使用電流（アンペア）に応じたプラグ形状を示す表である。
【図２】本考案の第一の実施形態に係るプラグホルダーの斜視図である。
【図３】本考案の第二の実施形態に係るプラグホルダーの斜視図である。
【図４】図４（Ａ）は本考案の第三の実施形態に係るプラグホルダーの斜視図であり、図４（Ｂ）は図４（Ａ）のＢ−Ｂ線における断面図である。
【図５】本考案の第四の実施形態に係るプラグホルダーの斜視図である。
【図６】従来のプラグホルダーの斜視図である。
【考案を実施するための最良の形態】
【００２７】
（第一の実施形態）
図１は使用電圧（ボルト）及び使用電流（アンペア）に応じたプラグ形状を示す表である。
【００２８】
図１に示すように、使用電圧が１００ボルトであるか２００ボルトであるかに応じて、さらに、使用電流が１５アンペアであるか２０アンペアであるかに応じてプラグの形状ひいてはコンセントの形状は異なる。単相１００ボルト・２０アンペア用のプラグの形状は２種類あるので、プラグの形状は全部で５種類である。これら５種類の形状のプラグを使用する場合には、それらのプラグの形状に対応した差し込み口を有する５種類のコンセントが必要になる。
【００２９】
図２は本考案の第一の実施形態に係るプラグホルダー１００の斜視図である。
【００３０】
本実施形態に係るプラグホルダー１００は立方体をなしており、６個の平面を有している。
【００３１】
第一の平面としての底面には、取り付け手段としての両面テープ１１０が貼られている。この両面テープ１１０を介して、プラグホルダー１００を電気コンセントの近傍において壁（電気コンセントが設けられている壁）に着脱自在に取り付けることができる。
【００３２】
プラグホルダー１００の底面を除く５個の平面にはそれぞれプラグ差し込み口１２１、１２２、１２３が形成されている（図３においては、３個の平面のみを図示）。５個の平面にそれぞれ形成されているプラグ差し込み口１２１、１２２、１２３は、該プラグ差し込み口１２１、１２２、１２３に差し込むプラグの形状に応じて、相互に異なるものに形成されている。
【００３３】
例えば、プラグホルダー１００の上面１０１（底面と反対側の面）には、相互に形状が異なる２個のプラグの何れをも差し込むことが可能な複数プラグ用プラグ差し込み口１２１が形成されている。
【００３４】
図２に示すように、複数プラグ用プラグ差し込み口１２１は、第一開口部１２１Ｂと、上面１０１の中心線１２１Ｒに関して第一開口部１２１Ｂと左右対称に設けられた第二開口部１２１Ｃと、から構成されている。
【００３５】
第一開口部１２１Ｂは、上面１０１の中心線１２１Ｒと平行に延びる直線状の第三開口部１２１ＢＡと、第三開口部１２１ＢＡの中心から中心線１２１Ｒから離れる方向に第三開口部１２１ＢＡと直交して延びる第四開口部１２１ＢＢと、からなる。
【００３６】
第二開口部１２１Ｃは第一開口部１２１Ｂと同一の形状を有している。
【００３７】
複数プラグ用プラグ差し込み口１２１は、図１に示した５種類のプラグ（単相１００ボルト・１５アンペア用、単相１００ボルト・２０アンペア用（２種類）、単相２００ボルト・１５アンペア用、単相２００ボルト・２０アンペア用の各プラグ）のうち、単相１００ボルト・１５アンペア用のプラグ及び単相１００ボルト・２０アンペア用（２種類）のプラグの何れをも差し込むことが可能な形状を有している。
【００３８】
また、プラグホルダー１００の４個の側面のうちの第一の側面１０２には、単相１００ボルト・１５アンペア用のプラグのプラグ差し込み口１２１が２組形成されている。
【００３９】
さらに、第二の側面１０３には単相１００ボルト・２０アンペア用のプラグのプラグ差し込み口１２３（図１に示す単相１００ボルト・２０アンペア用の二つのプラグのうち左側のプラグに対応するプラグ差し込み口）が形成されている。
【００４０】
さらに、図示していない残りの二つの側面の一方には、単相１００ボルト・２０アンペア用のプラグのプラグ差し込み口（図１に示す単相１００ボルト・２０アンペア用の二つのプラグのうち右側のプラグに対応するプラグ差し込み口）と単相２００ボルト・１５アンペア用のプラグに対するプラグ差し込み口とが形成されており、他方には単相２００ボルト・２０アンペア用のプラグに対するプラグ差し込み口がそれぞれ形成されている。
【００４１】
このように、プラグホルダー１００の上面１０１には、単相１００ボルト・１５アンペア用のプラグ及び単相１００ボルト・２０アンペア用（２種類）のプラグの何れをも差し込むことが可能な複数プラグ用プラグ差し込み口１２１が形成されているとともに、プラグホルダー１００の４つの側面には、図１に示した５種類の形状のプラグの何れかを差し込むことが可能な単一プラグ用プラグ差し込み口１２２、１２３が形成されている。
【００４２】
このため、本実施形態に係るプラグホルダー１００によれば、１種類のプラグしか差し込むことができなかった従来のプラグホルダー６と比較して、相互に形状が異なる複数種類のプラグを差し込んでおくことが可能である。
【００４３】
特に、プラグホルダー１００の上面１０１には、２種類の形状のプラグの何れをも差し込んでおくことが可能である。
【００４４】
本実施形態に係るプラグホルダー１００は上記の構造に限定されるものではなく、種々の改変が可能である。
【００４５】
本実施形態に係るプラグホルダー１００は立方体形状をなすものとして形成されているが、プラグホルダー１００の形状は立方体には限定されない。少なくとも二つの平面を有する立体形状であれば、任意の形状を採用することが可能である。二つの平面のうち、一つには取り付け手段としての両面テープ１１０が取り付けられ、他方には、例えば、複数プラグ用プラグ差し込み口１２１が形成される。
【００４６】
本実施形態に係るプラグホルダー１００においては、上面１０１を除く４個の側面の全てに単一プラグ用プラグ差し込み口１２２、１２３が形成されているが、４個の側面面の全てに単一プラグ用プラグ差し込み口１２２、１２３を形成することは必ずしも必要ではなく、少なくとも一つの側面に単一プラグ用プラグ差し込み口を形成することができる。あるいは、上面１０１にのみ複数プラグ用プラグ差し込み口１２１を形成することも可能である。
【００４７】
また、本実施形態に係るプラグホルダー１００においては、底面を除く４個の側面に形成されたプラグ差し込み口１２２、１２３は何れも相互に異なる形状をなしているが、同一形状のプラグ差し込み口を何れか二つの側面に形成することも可能である。すなわち、４個の側面のうち、少なくとも二つの側面に形成されたプラグ差し込み口の形状が相互に異なるものであれば、４個の側面の各々には任意の形状のプラグ差し込み口を形成することが可能である。
【００４８】
（第二の実施形態）
図３は本考案の第二の実施形態に係るプラグホルダー１００Ａの斜視図である。
【００４９】
本実施形態に係るプラグホルダー１００Ａにおいては、第一の実施形態に係るプラグホルダー１００と比較して、複数プラグ用プラグ差し込み口１２１は第五開口部１２１Ａを追加的に備えている。複数プラグ用プラグ差し込み口１２１が第五開口部１２１Ａを追加的に備えている点を除いて、本実施形態に係るプラグホルダー１００Ａは第一の実施形態に係るプラグホルダー１００と同一の構造を有している。
【００５０】
第五開口部１２１Ａは上方に凸の半円形状をなしており、さらに、上面１０１の中心線１２１Ｒを中心線として上下方向に延びている。
【００５１】
さらに、第五開口部１２１Ａは第一開口部１２１Ｂ及び第二開口部１２１Ｃの下方に位置している。
【００５２】
複数プラグ用プラグ差し込み口１２１は、第一開口部１２１Ｂ及び第二開口部１２１Ｃに加えて第五開口部１２１Ａをも有することによって、図１に示した５種類のプラグ（単相１００ボルト・１５アンペア用、単相１００ボルト・２０アンペア用（２種類）、単相２００ボルト・１５アンペア用、単相２００ボルト・２０アンペア用の各プラグ）の何れをも差し込むことが可能な形状を有している。
【００５３】
このように、本実施形態に係るプラグホルダー１００Ａによれば、プラグホルダー１００の上面１０１には、図１に示した５種類の形状のプラグの何れをも差し込むことが可能な複数プラグ用プラグ差し込み口１２１が形成されているとともに、プラグホルダー１００の４つの側面には、図１に示した５種類の形状のプラグの何れかを差し込むことが可能な単一プラグ用プラグ差し込み口１２２、１２３が形成されている。
【００５４】
このため、本実施形態に係るプラグホルダー１００Ａによれば、１種類のプラグしか差し込むことができなかった従来のプラグホルダー６と比較して、相互に形状が異なる複数種類のプラグを差し込んでおくことが可能である。特に、プラグホルダー１００の上面１０１には、図１に示した５種類の形状のプラグの何れをも差し込んでおくことが可能である。
【００５５】
（第三の実施形態）
図４（Ａ）は本考案の第三の実施形態に係るプラグホルダー２００の斜視図であり、図４（Ｂ）は図４（Ａ）のＢ−Ｂ線における断面図である。
【００５６】
本実施形態に係るプラグホルダー２００は、平板形状のベース板２１０と、ベース板２１０をその裏面において壁（電気コンセントが取り付けられている壁）に取り付ける取り付け手段としての両面テープ２２０（図４（Ｂ）参照）と、ベース板２１０の表面に形成された立方体形状のプラグ取り付けブロック２３０と、から構成されている。
【００５７】
ベース板２１０には、壁に形成された既設の電気コンセントを嵌め込むことが可能な長方形状の開口部２１１が形成されている。
【００５８】
図４（Ｂ）に示すように、ベース板２１０の周囲には、下方に延びる側壁部２１２が形成されている。
【００５９】
両面テープ２２０は、ベース板２１０の裏面において、開口部２１１の両側に取り付けられている。
【００６０】
プラグ取り付けブロック２３０は第二の実施形態に係るプラグホルダー１００Ａ（図３参照）と同一のものである。
【００６１】
ベース板２１０とプラグ取り付けブロック２３０とは樹脂を素材として一体成形されている。
【００６２】
本実施形態に係るプラグホルダー２００によれば、第二の実施形態に係るプラグホルダー１００Ａによる効果に加えて、壁に形成された既設の電気コンセントと一体的に取り付けることが可能であるという効果をも得ることができる。
【００６３】
なお、本実施形態に係るプラグホルダー２００においては、プラグ取り付けブロック２３０はベース板２１０と一体的に形成されているが、プラグ取り付けブロック２３０をベース板２１０に対して着脱自在であるように構成することも可能である。例えば、プラグ取り付けブロック２３０の底面に凸部を、ベース板２１０に凹部を形成し、プラグ取り付けブロック２３０の凸部をベース板２１０の凹部に嵌入することにより、プラグ取り付けブロック２３０をベース板２１０に取り付けることが可能であり、プラグ取り付けブロック２３０をベース板２１０から引き抜くことも可能である。
【００６４】
このように、プラグ取り付けブロック２３０をベース板２１０に対して着脱自在であるように形成することにより、プラグ取り付けブロック２３０を、他の形状のプラグ差し込み口が形成されているプラグ取り付けブロック２３０に交換することが可能になり、使用しているプラグの形状に応じて、好適なプラグ差し込み口を有しているプラグ取り付けブロック２３０を選択することが可能である。
【００６５】
なお、本実施形態に係るプラグホルダー２００は第二の実施形態に係るプラグホルダー１００Ａを有するものとして構成されているが、第二の実施形態に係るプラグホルダー１００Ａに代えて第一の実施形態に係るプラグホルダー１００を有するものとして構成することも可能である。
【００６６】
（第四の実施形態）
図５は本考案の第四の実施形態に係るプラグホルダー３００の斜視図である。
【００６７】
本実施形態に係るプラグホルダー３００は、第三の実施形態に係るプラグホルダー２００と比較して、ベース板２１０の開口部２１１にコンセント本体２（図６参照）が一体的に取り付けられているとともに、両面テープ２２０が取り付けられていない点が相違している。これらの点を除いて、本実施形態に係るプラグホルダー３００は第三の実施形態に係るプラグホルダー２００と同一の構造を有している。
【００６８】
本実施形態に係るプラグホルダー３００によれば、コンセント本体２とプラグホルダー２００とが予め一体に形成されているので、プラグホルダー３００をそのまま壁に取り付けることが可能である。
【００６９】
本実施形態に係るプラグホルダー３００においても、第三の実施形態に係るプラグホルダー２００と同様に、プラグ取り付けブロック２３０をベース板２１０に対して着脱自在に形成することが可能である。
【符号の説明】
【００７０】
１００  本考案の第一の実施形態に係るプラグホルダー
１１０  両面テープ
１２１、１２２、１２３  プラグ差し込み口
１００Ａ  本考案の第二の実施形態に係るプラグホルダー
２００  本考案の第三の実施形態に係るプラグホルダー
２１０  ベース板
２２０  両面テープ
２３０  プラグ取り付けブロック
３００  本考案の第四の実施形態に係るプラグホルダー
【図２】
0003180159.tif 000003
【図３】
0003180159.tif 000004
【図４】
0003180159.tif 000005
【図５】
0003180159.tif 000006
【図６】
0003180159.tif 000007
【図１】
0003180159.tif 000008